(57)【要約】  車両システムは、−電気エネルギーを生成するように構成された、車両システムを駆動するためのハイブリッドパワートレイン（Ｅ、ＥＭＧ、Ｂ）と、−システムの少なくとも１つの貯蔵室を冷却するように構成された電気的に作動可能な少なくとも１つの冷蔵ユニット（Ｒ）とを備え、冷蔵ユニット（Ｒ）はハイブリッドパワートレインによって生成された電気エネルギーを動力源とする。【選択図】図５
2010513137.tif 000002
【特許請求の範囲】
【請求項１】
車両システムであって、
−電気エネルギーを生成するように構成された、前記車両システムを駆動するためのハイブリッドパワートレイン（Ｅ、ＥＭＧ、Ｂ）と、
−前記システムの少なくとも１つの貯蔵室を冷却するように構成された、電気的に作動可能な少なくとも１つの冷蔵ユニット（Ｒ）とを備え、
前記冷蔵ユニット（Ｒ）は、前記ハイブリッドパワートレインによって生成された電気エネルギーを動力源とする、車両システム。
【請求項２】
前記貯蔵室は前記車両システムの運転室とは異なり、前記電気的に作動可能な冷蔵ユニット（Ｒ）は好ましくは前記貯蔵室を１０°Ｃ未満の温度に冷却するように構成される、請求項１に記載のシステム。
【請求項３】
前記システムは、前記ハイブリッド車両システムの複数の電力生成および／または消費コンポーネントを制御するように構成された制御装置（１）を備え、前記制御装置は好ましくはモジュール式制御装置であり、好ましくは、前記さまざまな制御モジュールがそれぞれの機能の実行要求を同時に示すことができるように構成される、請求項１または２に記載のシステム。
【請求項４】
前記制御装置（１０１）は、複数のそれぞれの電力生成および消費機能を実施する前記複数のコンポーネント（Ｃ）を制御するように構成された複数の制御モジュール（１１、１２、１３）を備えるモジュール式制御装置であり、各制御モジュール（１１、１２、１３）にそれぞれ１つ以上の入力変数が対応付けられる、請求項３に記載のシステム。
【請求項５】
前記制御装置は充電機能を制御するための制御モジュール（１１）を備える、請求項４に記載のシステム。
【請求項６】
前記制御装置はブースト機能を制御するための制御モジュール（１２）を備える、請求項４または５に記載のシステム。
【請求項７】
前記制御装置は電力の回生を制御するための制御モジュール（１３）を備える、請求項４乃至６の何れか１項に記載のシステム。
【請求項８】
前記制御装置はe-ドライブ制御モジュールを備える、請求項４乃至７の何れか１項に記載のシステム。
【請求項９】
前記制御装置（１）は、前記制御モジュール（１１、１２、１３）の各々にエネルギーバジェットを割り当て／対応付け、ある機能がそのエネルギーバジェットの少なくとも一部を使い果たした場合はその機能の使用可能エネルギー量を変更するように構成される、請求項４乃至８の何れか１項に記載のシステム。
【請求項１０】
前記制御装置は、前記制御モジュール（１１、１２、１３）に互いに異なる優先順位が対応付けられるように構成され、前記制御モジュール（１１、１２、１３）の各々はそれぞれ１つ以上の入力変数に応じて前記それぞれの機能の実行を要求するように構成され、前記制御装置（１）は、複数のモジュール（１１、１２、１３）がそれぞれの機能の実行を要求している場合は、機能の実行を要求している制御モジュールのうち最も高い優先順位を有する制御モジュールにその機能の実行を許可するように構成され、前記制御装置（１）は前記少なくとも１つの冷蔵ユニット（Ｒ）の動作をスケジューリングするようにさらに構成される、請求項４乃至９の何れか１項に記載のシステム。
【請求項１１】
前記制御装置（１）は、動作中に冷蔵ユニット（Ｒ）の起動を許可するか否か、またはその程度、が冷蔵装置の優先順位によって決まるように、各冷蔵ユニット（Ｒ）に少なくとも１つの冷蔵装置優先順位を対応付けるように構成される、請求項３乃至１０の何れか１項に記載のシステム。
【請求項１２】
前記制御装置（１）は、通常冷蔵条件に関連する第１の冷蔵機能に通常冷蔵優先順位を割り当て、ハイブリッドパワートレイン優先順位をハイブリッドパワートレインのミューテックススケジューラ（１０２）に割り当てるように構成され、前記通常冷蔵優先順位は前記ハイブリッドパワートレイン優先順位より低い、請求項１１に記載のシステム。
【請求項１３】
前記制御装置（１）は、緊急冷蔵条件に関連する第２の冷蔵機能に緊急冷蔵優先順位を割り当てるように構成され、前記緊急冷蔵優先順位は前記ハイブリッドパワートレイン優先順位より高い、請求項１２に記載のシステム。
【請求項１４】
前記制御装置は、複数の電力関連機能のスケジューリングを行うスケジューラ（１０２）を備える、請求項３乃至１３の何れか１項に記載のシステム。
【請求項１５】
前記スケジューラはミューテックススケジューラである、請求項１４に記載のシステム。
【請求項１６】
前記電力関連機能のうちの１つは、通常冷蔵機能（１１４ａ）とパワートレイン関連機能（１１４ｂ）、例えばe-ドライブ機能、とをスケジューリングするように構成されたパラレルスケジューラ（１１４’）を有する、請求項１４または１５に記載のシステム。
【請求項１７】
前記ハイブリッドパワートレインの最大電力送出容量は、前記パワートレインによって生成される電力を動力源とする前記車両コンポーネントの全ての最大消費電力容量の合計より小さく、前記制御装置（１；１０１）は、実際に許容または割り当てられる電力量が前記使用可能な最大電力量を決して超えないように、前記さまざまな車両コンポーネントに電力を許容または割り当てるように構成される、請求項３乃至１６の何れか１項に記載のシステム。
【請求項１８】
前記冷蔵ユニット（Ｒ）の少なくとも１つの電動機を駆動するために直流を交流に変換するように構成された少なくとも１つのインバータ（ＩＮＶ）を備える、先行請求項の何れか１項に記載のシステム。
【請求項１９】
前記冷蔵ユニットは、その動作中に前記パワートレインによって生成された少なくとも１０ｋＷのエネルギーを消費するように構成され、好ましくは、前記貯蔵室を１０℃未満の温度に冷却するように構成される、先行請求項の何れか１項に記載のシステム。
【請求項２０】
前記貯蔵室は輸送用トレーラのトレーラ室である、先行請求項の何れか１項に記載のシステム。
【請求項２１】
前記冷蔵ユニット（Ｒ）は冷媒流体を圧縮するための電動コンプレッサ（ＣＯ）を備え、前記電動コンプレッサ（ＣＯ）は、動作中に、
−前記パワートレインの少なくとも１つの蓄電池（Ｂ）、
−前記パワートレインの少なくとも１つの電動機／発電機（ＥＭＧ）、および
−前記パワートレインの少なくとも１つの電気回生装置、のうちの１つ以上から受電する、先行請求項の何れか１項に記載のシステム。
【請求項２２】
車両システム、例えば先行請求項の何れか１項に記載のシステム、であって、
−電気エネルギーを生成するように構成された、前記車両システムを駆動するためのパワートレイン（Ｅ、ＥＭＧ、Ｂ）と、
−前記システムの少なくとも１つの貯蔵室を冷却するように構成された、電気的に作動可能な少なくとも１つの冷蔵ユニット（Ｒ）とを備え、
前記冷蔵ユニット（Ｒ）は、前記パワートレインによって生成された電気エネルギーを動力源とすることができ、前記システムは、動作中にパワートレインの平均消費電力を超える消費電力を必要とする将来の走行条件を推定または判定するように構成され、前記システムは、そのような走行条件に遭遇する前に前記貯蔵室に追加冷却を施すために前記冷蔵ユニットを起動するように構成されることを特徴とするシステム。
【請求項２３】
前記制御システム（１０１）は、前記将来の走行条件を予測するために全地球測位システム（ＧＰＳ）データを利用するように構成される、請求項２２に記載のシステム。
【請求項２４】
ハイブリッド車両システムにおいて電力を分配する方法であって、先行請求項の何れか１項に記載のシステムを利用するステップを含み、特に前記冷蔵ユニットは電気的にのみ動力供給が可能である、方法。
【請求項２５】
少なくとも１つの貯蔵室を冷却するために、ハイブリッドドライブトレーンによって生成された使用可能電力の少なくとも一部を少なくとも１つの電気的に作動可能な冷蔵ユニット（Ｒ）に分配するために、複数の車両機能に割り当てられた優先順位に基づき前記複数の車両機能のスケジューリングを行うステップを含む、請求項２４に記載の方法。
【請求項２６】
前記貯蔵室は１０℃未満の温度に冷却される、請求項２４または２５に記載の方法。
【請求項２７】
特に、請求項３乃至１７の何れか１項に記載のシステムの制御装置を提供するために、機械によって実行されたときに、請求項２４乃至２６の何れか１項に記載の方法を前記機械に実施させるように構成されたデジタル機械可読命令、特にソフトウェアコード。
【請求項２８】
少なくとも１つの冷蔵ユニット制御モジュール（１６２，１６５；１１４ａ）が前記機械可読命令に埋め込まれる、請求項２７に記載のデジタル機械可読命令。
【発明の詳細な説明】
【技術分野】
【０００１】
本発明は、新規な車両システムを提供する。
【背景技術】
【０００２】
輸送用トレーラのための冷蔵システムをトレーラ自体に搭載することは公知であり、これらの冷蔵システムは蒸気圧縮システムで構成されることが多い。これらのシステムは、通常、独立の三相電源によって、またはエンジン駆動コンプレッサによって、特に以下の３つの方法（１〜３）のうちの１つで駆動される。
−１）既存のトラック用パワートレイン、例えばエンジン駆動プーリ、に接続された独立の三相発電機の使用。夜間冷却用には配電網への外部接続が可能である。発電機は、１０〜１５ｋＷの冷却電力のためにほぼ１５〜２０ｋＶＡの電力を有する。
−２）燃焼機関から直接駆動されるコンプレッサの使用。夜間冷却用には追加の電気的接続をおそらく有する。
−３）エンジンと三相発電機とを備える自律発電装置の使用。
【０００３】
これらのシステムは比較的重く（冷蔵ユニット３００ｋｇ、発電機６５ｋｇ）、高価であり（例えば５０００ユーロ）、かさばり、トラック全体の効率最適化のための制御を欠いている（例えば、冷蔵力を生成する独立のディーゼルユニットは、ほぼ３ｌ／ｈを消費する）。また、公知のシステムは、比較的高レベルの温室効果ガスおよび他の汚染物質を放出する。
【０００４】
さらに、独国実用新案第２０２０７５３４Ｕ１号は、冷蔵システム付きの貯蔵室を有する車両を開示している。この冷蔵システムは電動機によって駆動でき、この電動機は、油圧モータに結合された発電機を動力源とし、この油圧モータは油圧回路を介して油圧ポンプに結合され、この油圧ポンプは燃焼機関によって駆動可能である。この場合、車両は、冷蔵システムを駆動するためのディーゼルエンジンをさらに備える。
【０００５】
独国特許出願公開第４１２３８４３Ａ１号は、冷蔵コンテナを有する車両を開示している。このコンテナの冷却ユニットは、トラックのエンジンに結合された静油圧式無段変速機または電動機のどちらかによって駆動される。
【０００６】
カナダ公開特許第２４５７２１６Ａ１号は、トラクタユニットとトレーラユニットとを有し、トラクタユニットが内燃機関を含むトラクタ・トレーラを開示している。トレーラは、トレーラの車軸上の少なくとも一部の車輪を駆動するように配置された電気駆動装置を有する。この配置により、追加電力が必要とされる状況では追加電力を供給し、電気駆動モータが車輪上に直接取り付けられている場合は、より良い制動をもたらすことができる。ＣＡ’２１６明細書によると、電力を供給するためにバッテリが用いられる。
【０００７】
さらに、米国特許出願公開第２００４／１６８４４９Ａ１号および米国特許第６，０７３，４５６号は、車両の乗員室の空調に関する。
【発明の概要】
【発明が解決しようとする課題】
【０００８】
本発明は、上記の問題の少なくとも一部を軽減することを目的とする。特に、本発明は、少なくとも１つの貯蔵室の冷却を確実な方法で行える、費用効率が高く、エネルギー効率の良い車両システムを提供することを目的とする。
【課題を解決するための手段】
【０００９】
本発明の一実施態様によると、この目的は、
−電気エネルギーを生成するように構成された、車両システムを駆動するためのハイブリッドパワートレインと、
−システムの少なくとも１つの貯蔵室を冷却するように構成された、電気的に作動可能な少なくとも１つの冷蔵ユニットとを備え、
冷蔵ユニットは、ハイブリッドパワートレインによって生成された電気エネルギーを動力源とする、ことを特徴とする車両システムによって達成される。
【００１０】
特に、冷蔵ユニットは、電気的にのみ動力供給が可能である。
【００１１】
このように、冷蔵機能を含む、比較的安価でコンパクトかつ経済的な車両システムが提供され、比較的重くてかさばる独立の発電機の使用を省くことができる。
【００１２】
また、一実施態様によると、本発明によるシステムを利用してハイブリッド車両システムに電力を分配する方法が提供される。例えば、この方法は、ハイブリッドドライブトレーンによって生成された使用可能電力の少なくとも一部を少なくとも１つの貯蔵室を冷却する電気的に作動可能な少なくとも１つの冷蔵ユニットに分配するために、車両の各機能に割り当てられた優先順位に基づき、これらの機能のスケジューリングを行うステップを含むことができる。
【００１３】
さらに、一実施態様によると、機械によって実行されると、本発明による方法を機械に実施させるように構成された一組のデジタル機械可読命令、特にソフトウェアコード、が提供される。また、例えば、本発明の一実施態様によると、これらのデジタル機械可読命令を担持するデータ担持体を提供することができる。これらの機械可読命令には、少なくとも１つの冷蔵ユニット制御モジュールを埋め込むことが好ましい。例えば、これらの機械可読命令を適切な制御装置に実装することができる。
【００１４】
好適な一実施態様において、制御装置はハードウェア制御装置であるか、または電子制御ユニット（ＥＣＵ：ｅｌｅｃｔｒｏｎｉｃ  ｃｏｎｔｒｏｌｌｅｒ  ｕｎｉｔ）である。
【００１５】
さらに別の実施態様においては、ハイブリッド車両の電力生成および／または消費コンポーネントを制御するように構成された制御装置に冷蔵機能の制御を埋め込む／実施させることができる。
【００１６】
制御装置は、複数のそれぞれの電力生成および消費機能をそれぞれ実施する各コンポーネントを制御するように構成された複数の制御モジュールを備えることが好ましく、これらの電力生成および消費機能として、例えば、
−ハイブリッド車両のエンジンを用いてハイブリッド車両の発電機を駆動することによって電気エネルギーを生成する充電機能と、
−電動機を用いてトルクを増大させるブースト機能と、
−エンジンを用いず、発電機を駆動することによって車両の運動エネルギーを回収する回生制動機能と、
−電動機が電気エネルギーを使用して、特にエンジンからの支援なしに、トルクを供給するe-ドライブ機能と、が挙げられ、
各制御モジュールにそれぞれ１つ以上の入力変数が対応付けられる。
【００１７】
例えば、各制御モジュールに互いに異なる優先順位が対応付けられるように制御装置を構成することができる。この場合、各制御モジュールは、それぞれ１つ以上の入力変数に応じて、対応する機能の実行要求を示すように構成され、
複数のモジュールがそれぞれの機能の実行要求を示している場合は、機能の実行要求を示している制御モジュールのうち最も高い優先順位を有する制御モジュールにその機能の実行を許可するように制御装置を構成する。
【００１８】
さまざまな制御モジュールがそれぞれの機能の実行要求を同時に、互いに独立に、示すことができるように、制御装置を構成することが好ましい。
【００１９】
また、好都合な一態様によると、電気エネルギーを生成するように構成された、車両システムを駆動するためのパワートレインと、システムの少なくとも１つの貯蔵室を冷却するように構成された、電気的に作動可能な少なくとも１つの冷蔵ユニットとを備える車両システムが提供される。この冷蔵ユニットは、パワートレインによって生成された電気エネルギーを動力源とし、システムは、動作中にパワートレインの平均消費電力を超える消費電力を必要とする将来の走行条件を推定または判定するように構成され、システムは、これらの走行条件に遭遇する前に貯蔵室の追加冷却を行うために冷蔵ユニットを起動するように構成される。例えば、さらに別の実施態様によると、全地球測位システム（ＧＰＳ：Ｇｌｏｂａｌ  Ｐｏｓｉｔｉｏｎｉｎｇ  Ｓｙｓｔｅｍ）のデータを利用して将来の走行条件を予測するように制御システムを構成することができる。
【００２０】
他の好都合な実施態様が従属請求項に記載されている。次に、添付図面を参照しながら例示的実施形態によって本発明をさらに説明する。
【図面の簡単な説明】
【００２１】
【図１】ハイブリッド車両の一部を模式的に示す。
【図２】制御システムの一実施形態を模式的に示す。
【図３】制御方法の一実施形態のフローチャートである。
【図４】燃料消費量を電気駆動限界の関数として示すグラフである。
【図５】図１と同様であり、冷蔵ユニットを含むハイブリッド車両システムを示す。
【図６】図３と同様であり、冷蔵ユニットを制御するステップを含む制御方法のフローチャートを示す。
【図７】図６と同様であり、代替の制御方法を示す。
【図８】一代替車両システムの一部を模式的に示す。
【発明を実施するための形態】
【００２２】
本願においては、同等または対応の特徴は同等または対応の参照符号で示されている。
【００２３】
図１は、ハイブリッド車両の一部を模式的に示す。ハイブリッド車両自体の構成は当業者には公知であるので、全般的な説明に留める。車両は、トルクを各車輪に個別に、または全車輪同時に、供給するために車両の各車輪に結合することができる、電動機ＥＭＧとエンジンＥとを備えるハイブリッドパワートレイン（ドライブトレイン）を備える。矢印Ｘは、トルクエネルギーの流れを示す。また、電気エネルギーを供給するために電池（蓄電池）Ｂが設けられる。バッテリの充電は、さまざまな方法で行うことができる。例えば、パワートレインを充電（Ｃｈａｒｇｅ）状態にすることができる。この場合、電動機ＥＭＧは、発電機として機能し、エンジンによって駆動されて蓄電池／バッテリＢを充電する（この場合のエネルギー経路を図１に矢印Ｙ１で示す）。例えば、直流を交流に、またはこの逆に、変換するためのインバータを電動機ＥＭＧ（またはパワートレイン）に設けることができる。さらに、バッテリＢを充電するための電力を生成するために１つ以上の回生（Ｒｅｇｅｎｅｒａｔｉｖｅ）状態をもたらすように、車両を構成することができる。通常、このような回生状態は、車両制動プロセス中または車両減速プロセス中に得られ、例えば電動機／発電機ＥＭＧが車輪によって駆動される場合に得られる（この場合のエネルギー経路を図１に矢印Ｙ２で示す）。１台のハイブリッド車両に、複数のエネルギー回生システムを備えることができる。例えば、電動機ＥＭＧを用いて電力を生成する回生装置、電磁式または油圧式リターダ、および／または油圧または空気圧によって駆動される従来の摩擦ブレーキを備えることができる。さらに、ハイブリッドパワートレインをシリアルハイブリッド式またはパラレルハイブリッド式、あるいはこれらの組み合わせにすることができる。パワートレインは、図１の実施形態のように、発電機としても機能する単一の電動機ＥＭＧを備えることが好ましい。あるいは、電動機と独立の発電機とをパワートレインに含めることもできる。また、エンジンＥは、例えばガソリン、ディーゼル、水素、および／または他の燃料を燃やす内燃機関にすることも、あるいは他の種類のエンジンにすることもできる。当業者であればわかることであるが、ハイブリッド車両は、通常、他のさまざまなコンポーネントを備える。これらのコンポーネントとして、例えば、変速機、エンジンＥおよび電動機ＥＭＧを断接する１つ以上のクラッチ、コンバータのほか、さまざまなコンポーネントの状態の判定、例えば、バッテリの充電状態（ＳＯＣ）の判定、パワートレインの要求または供給動力量の判定、運転者（ドライバ）の要求の判定などを行い、他のパラメータ、例えば車室温度および／または排気触媒システムに関する温度変数、に関する情報を提供するためのセンサＳが挙げられる。
【００２４】
一実施形態において、ハイブリッド車両は電力の生成および消費（使用）に関係するさまざまなハイブリッド動力状態になることができる。これらの状態として、例えば、
−エンジンを用いて発電機ＥＭＧを駆動することによって電気エネルギーを生成する充電状態と、
−電動機ＥＭＧを用いてエンジンＥのトルクを増大させるブースト状態と、
−エンジンＥを用いずに発電機（例えば電動機ＥＭＧ）を駆動することによって電気エネルギーを生成する回生状態と、
−エンジンＥではなく、完全に電動機Ｅによってトルクを発生させるeードライブ状態と、が挙げられる。
【００２５】
他のハイブリッド動力状態、例えばパワートレインがスタンバイ中であるスタンバイ状態（例えば、車両の停止時）、も利用可能である。
【００２６】
図２は、ハイブリッド車両のさまざまな電気エネルギー消費および／または生成コンポーネントＣ（すなわち、蓄電池関連のコンポーネント）を制御するように構成された、制御装置１を備える制御システムの非限定的な実施形態を模式的に示す。上述のように、これらのコンポーネントとして、１つ以上の電動機ＥＭＧ、１つ以上の発電システム、例えば発電機ＥＭＧを駆動するためのエンジンＭを含むシステム、１つ以上のエネルギー回生装置（上記を参照のこと）、少なくとも１つのバッテリＢを充電するための１つ以上のバッテリ充電器、および／または他のコンポーネントが挙げられる。
【００２７】
制御装置１は、少なくとも、電力の可用性と特定のコンポーネントＣが必要とする電力量とに関する制御装置の入力変数に基づき電力制御（すなわち、使用可能な電力または電気エネルギーの分配）を扱うように構成される。
【００２８】
本実施形態において、制御装置１は、制御装置１とそれぞれの遠隔車両コンポーネントＣとの間の通信を提供するインタフェース構造（「ハードウェアインタフェース層」とも呼称）２０に接続可能であり、および／またはインタフェース構造２０を備える。例えば、通信は、一方向（ＲＥＱ）であっても、またはハンドシェイク方式（ＲＥＱ／ＡＣＫ）であっても、または別の形式であってもよい。本実施形態においては、コンポーネントＣとインタフェース構造とを、例えば、有線および／または無線通信手段によって、車両データ通信網によって、または当業者であれば理解されるような他の方法で、通信可能に相互接続する第１の通信システム１０５が設けられる。また、本実施形態においては、インタフェース構造２０と制御装置１との間のデータ通信を可能にするために、両者間を通信可能に相互接続する通信経路１０４が設けられる。あるいは、インタフェース２０を制御装置１の構成部分とすることもでき、あるいは制御装置１と遠隔車両コンポーネントＣとの間の通信を可能にするための適切なデータインタフェースを複数設けることもできる。
【００２９】
制御装置１と車両コンポーネントＣとの間の通信は、それぞれの車両コンポーネントＣを制御（例えば、車両コンポーネントＣの起動、停止、および／または動作変更）するための、制御装置１からそれぞれの車両コンポーネントへの制御情報の伝達を含むことができる。また、この通信は、制御装置１への車両の動力状態情報の伝達を含むことができる。上記の状態情報は、さまざまな動力関連の変数、例えば充電状態、車両駆動力、ブレーキ回生力、リターダ回生力、および／または他の動力関連の変数、を含むことができる。これらの変数は、当業者であれば理解されるように、運転者関連の操作、走行条件、走行自体に依存させることができる。例えば、車両の動力状態情報は、それぞれの車両コンポーネントＣ、センサＳ、特定の車両速度への到達または速度維持のためにパワートレインからの特定量の駆動力の供給を要求するように構成された車両速度制御装置（図示せず）、および／または他の車両部品またはシステムによって生成することができる。
【００３０】
例えば、インタフェース構造２０は、動力状態情報を（例えば、それぞれの車両部品から）受け取り、受け取った状態情報を制御装置１に、特に制御装置１が読み取ることができる形式で、送るように構成される。例えば、インタフェース構造２０は、車両状態情報を制御装置１によって受け取られる特定の入力変数に翻訳するように構成されることが好ましい。
【００３１】
一実施形態において、上記の動力状態情報は、各種の情報を含むことができる。例えば、本実施形態においては、コンポーネントＣの状態（特に、コンポーネントＣに関する電力関連情報を含む状態）に関する車両の動力状態情報を生成するように車両を構成することができる。例えば、電力関連状態情報を生成するようにこれらのコンポーネントＣの１つ以上を構成することができる。この電力関連状態情報として、例えば、車両の動作および状態に応じて、動作中のコンポーネントＣが要求または必要とする電力量を含む情報が挙げられる。
【００３２】
さらに、上記のように、さまざまなコンポーネントの電力状態、例えばバッテリＢの充電状態（ＳＯＣ）、を判定するセンサＳを１つ以上設けることができる。例えば、これらのセンサＳのうちの１つ以上を、対応する車両コンポーネントＣの一部にすることも、あるいは専用の車両制御システム（例えば、車両速度制御装置）の一部にすることもできる。例えば、センサＳを一部またはローカルコンポーネント制御装置にすることができる。このローカル制御装置は、センサ信号を処理し、処理後のセンサ信号、またはセンサ信号関連情報、をハイブリッド制御装置１に送ることができる。センサＳが測定または評価した１つ以上のパラメータに関する電力関連状態情報を生成するように、各センサＳを構成することもできる。
【００３３】
例えば、充電状態センサＳは、バッテリ状態または充電に関する情報を提供でき、充電状態が比較的低レベルに達したことをセンサＳが検出または判定した場合、またはこのような低レベルに短時間のうちに達すると予想される場合に、バッテリＢの充電要求を含む情報を生成できることが好ましい。
【００３４】
さらに別の実施形態においては、例えば、２つのレベルを存在させることができる。すなわち、第１のレベルでは（例えば、ローカルバッテリ制御装置において）、充電が望ましいかどうかを判定する充電制御機能を使用可能であり、警告メッセージ、例えば「直ちに充電してください。充電しないとバッテリが損傷するおそれがあります（ｌｏａｄ  ｎｏｗ  ｏｒ  ｅｌｓｅ  ｔｈｅ  ｂａｔｔｅｒｙ  ｍｉｇｈｔ  ｂｅ  ｄａｍａｇｅｄ）。」、を生成することができる。第２のレベルは、安全機能とすることができ、ハードウェアインタフェース層２０の一部にしてもよい。
【００３５】
さらに、充電状態センサＳは、充電状態が比較的高い充電レベルに達したことをこのセンサＳが検出または判定した場合は、バッテリの充電が不要であるという情報を提供することができる。さらに、実際の車両速度に関する情報を提供するために、車両速度センサを、例えば車両制御ユニットの一部として、使用可能である。
【００３６】
制御装置１は、さまざまな方法で構成できる。制御装置１は、制御装置によって実行されたときに、下記のように制御装置１に方法を実施させるように構成された複数の機械可読命令、特に一連のデジタルコードまたは制御アルゴリズム、を備えることが好ましい。制御装置１は、当業者であれば理解されるように、適切なハードウェア、例えば、上記命令を実行する１つ以上のプロセッサＰＲと、例えばこれらの命令および／または命令関連の変数の少なくとも一部を保持するために、１つ以上のプロセッサＰＲからアクセス可能なデータメモリＤＭとを備えることができる。
【００３７】
好適な一実施形態において、制御装置１は、複数の電力生成および消費／使用（仮想）機能をそれぞれ実施する複数のコンポーネントＣを制御するように構成された、ほぼ自律的に動作する複数の制御モジュール１１、１２、１３を備える。これらの電力生成および消費／使用（仮想）機能として、例えば、
−ハイブリッド車両のエンジンを用いてハイブリッド車両の発電機を駆動することによって電気エネルギーを生成する充電機能と、
−電動機を用いてトルクを増大させるためのブースト機能と、
−エンジンを用いずに発電機を駆動することによって電気エネルギーを生成する回生機能と、
−電動機が電気エネルギーを用いて、エンジンからの支援なしに、トルクを供給するe-ドライブ機能と、が挙げられる。
【００３８】
好適な一実施形態においては、モジュール１１、１２、１３はコンポーネントＣをインタフェース層２０を介して間接的に制御することができる。この場合、制御モジュール１１、１２、１３は、インタフェース層２０（またはそれぞれの機能に対応付けられたそれぞれのインタフェース層部分）を制御することができ、インタフェース層部分は、制御モジュール１１、１２、１３が受け取った命令に基づき、コンポーネントＣを制御することができる。したがって、インタフェース層２０は、制御モジュール１１、１２、１３の管理下で、コンポーネントＣを制御することができる。
【００３９】
本実施形態において、これらの制御モジュール１１、１２、１３は、制御装置１に、すなわち上記の機械可読命令に、統合または実装される。図３は、制御装置によって実施される方法の一実施形態のフローチャートを示す。このフローチャートは、制御モジュール１１、１２、１３を示す。
【００４０】
非限定的な例として、本実施形態は、充電機能を制御する第１の制御モジュール１１と、ブースト機能を制御する第２の制御モジュールと、電力の回生を制御する第３の制御モジュール１３とを備える。他の制御モジュール、例えばe-ドライブ機能に関連するe-ドライブ制御モジュール（図示せず）、も簡単な方法で制御装置１に追加することができる。
【００４１】
各制御モジュール１１、１２、１３には、１つ以上の入力変数（上記のように、制御装置１がインタフェース構造を介して受け取ることができる入力変数）がそれぞれ対応付けられることが好ましい。例えば、第１の制御モジュール１１には充電状態変数を対応付けることができ、第２の制御モジュール１２には駆動力変数を対応付けることができ、第３の制御モジュールには１つ以上の回生電力変数を対応付けることができる。また、制御モジュール１１、１２、１３には、互いに異なる優先順位が対応付けられる。例えば、これらの優先順位と上記の変数とをメモリＤＭに格納し、制御装置１の処理部ＰＲからアクセス（読み出しおよび／または書き込み）することができる。各制御モジュール１１、１２、１３は、それぞれ１つ以上の入力変数に応じてそれぞれの機能の実行を要求する（すなわち、入力変数に応じて、その機能が必要とされていることを示す情報を提供する）ように構成されることが好ましい。
【００４２】
例えば、一実施形態においては、それぞれ１つ以上の入力変数に応じてそれぞれの機能の実行を自動的に要求するように制御モジュール１１、１２、１３を構成することができる。好適な一代替実施形態においては、例えば、それぞれの機能を実行すべきかどうかを（例えば、制御装置のスケジューラ２から）制御モジュール１１、１２、１３に周期的に問い合わせることができる。この問い合わせに対して、制御モジュール１１、１２、１３は、その入力パラメータをチェックすることができ、入力パラメータに応じて、その機能の実行の確認または拒否を適切な指示によって（応答として）行うことができる。
【００４３】
制御モジュール１１、１２、１３のうちの１つの制御モジュールだけがその機能の実行を要求した場合は、制御装置１はその制御モジュールにその機能の実行を許可することができる。ただし、さらに別の実施形態においては、以下に説明するようにエネルギーバジェットの使用に応じて許可または拒否することもできる（例えば、場合によっては、制御装置１は、制御モジュールがそのエネルギーバジェットを使い果たしたかどうかをチェックすることができ、そのエネルギーバジェットが使い果たされている場合は、そのモジュールの機能の実行を拒否することができる）。
【００４４】
複数のモジュール１１、１２、１３がそれぞれの機能の実行を要求している場合は、機能の実行を要求している制御モジュール１１、１２、１３のうち最も高い優先順位を有する制御モジュールにその機能の実行を許可するように制御装置１を構成する。例えば、さまざまな制御モジュール１１、１２、１３がそれぞれの機能の実行を同時に、それぞれ独立に、要求できるように制御装置１を構成することができる。この場合は、一度に（および場合によっては、その制御モジュールのエネルギーバジェットに基づき）、制御モジュール１１、１２、１３のうちの１つの制御モジュールにのみ機能の実行を許可するように制御装置１を構成する。用語「同時に」は、広義に解釈されるものとし、当業者であれば理解されるように、例えば、「瞬時に」および／または制御装置１の「制御の単一回の反復のうちに」を意味しうる（例えば、制御の複数回の反復のうちの各回の反復において、制御装置１は、全ての制御モジュールから実行要求を受け付けるために特定の制御プロセスを実施する）。
【００４５】
各制御モジュール１１、１２、１３の機能の実行が制御装置１によって許可されるかどうかに応じて、各制御モジュール１１、１２、１３がその機能を（特に、適切な制御情報をその各車両コンポーネント（群）にそのインタフェース層部分を介して伝達することによって、すなわち、コンポーネント（群）Ｃを制御するインタフェース層２０にその機能を実行させるために適切な制御情報をインタフェース層２０に伝達することによって）実行するように、各制御モジュール１１、１２、１３を構成することができる。一例として、本実施形態においては、第１のモジュール１１がその機能の実行を許可されると、第１のモジュールは情報をインタフェース２０を介して伝達することによって車両を充電状態にする。この結果、対応する車両コンポーネントＥ、ＥＭＧがバッテリＢを充電する。第２のモジュール１２がその機能の実行を許可された場合、第２のモジュール１２はインタフェース２０を介して情報を伝達することによって車両をブースト状態にする。この結果、電動機ＥＭＧが追加トルクをパワートレインに供給する。第３のモジュール１３がその機能の実行を許可された場合、第３のモジュール１３はインタフェース２０を介して情報を伝達することによって車両を回生状態にする。この結果、対応する車両コンポーネントＭ、ＥＭＧが電力を回生する。e-ドライブモジュールがその機能の機能の実行を許可された場合、e-ドライブモジュールは、インタフェース２０を介して情報を伝達することによって車両をe-ドライブ状態にする。この結果、電動機ＥＭＧのみが起動されて（エンジンＥは起動されない）トルクを車両に供給する。
【００４６】
制御装置１は、一度に制御モジュール１１、１２、１３のうちの１つにのみその機能の実行を許可するように構成された主スケジューラ２、好ましくはミューテックススケジューラ２、を備えることが好ましい。本実施形態においては、ミューテックススケジューラ２を制御装置１の上記機械可読命令に埋め込むことも、またはその一部にすることも簡単に行える。
【００４７】
ミューテックススケジューラ２は、さまざまな方法で動作することができる。例えば、一実施形態においては、それぞれの機能の実行を要求しているいくつかの制御モジュール１１、１２、１３のうち、最も高い優先順位を有する制御モジュール１１、１２、１３にのみその機能を実行させるように、ミューテックススケジューラ２を構成することができる。また、一実施形態においては、ある制御モジュールより高い優先順位を有する別の制御モジュールに機能を実行させるためにその別の制御モジュールが選択されている場合は、先の制御モジュールの機能の実行を許可しないようにミューテックススケジューラ２を構成することができる。例えば、一実施形態によると、主スケジューラ２は、動作中にさまざまな制御モジュール１１、１２、１３から同時にさまざまな実行（起動）要求を受け付けることができる。
【００４８】
本実施形態においては、インタフェース構造２０は、各制御モジュール１１、１２、１３から対応する車両コンポーネントへの制御情報の伝達（すなわち、機能空間内への／に向けての制御情報の翻訳）と、車両コンポーネントから制御モジュール１１、１２、１３への動力状態情報の伝達とを提供できることが好ましい。この場合、インタフェース構造２０は、動力状態情報（通信手段１０５を介して受信）を制御モジュール１１、１２、１３によって受け取られる特定の入力変数に翻訳するように構成される。例えば、充電状態情報を（特に、入力変数への翻訳後）制御装置１の充電モジュール１１にのみ送り、その他の２つの制御モジュール１２、１３のどちらにも送らないようにインタフェース２０を構成することができる。また、例えば、充電制御モジュール１１は、充電制御モジュール１１に対応付けられた入力変数（群）、例えば充電状態変数、のみを受け付ける／操作するように構成することができる。インタフェース２０は、駆動力情報を（特に、入力変数への翻訳後）ブーストモジュール１２にのみ送り、その他の２つの制御モジュール１１、１３のどちらにも送らないように構成することができる。インタフェース２０が受け取った回生装置情報を翻訳し、回生装置制御モジュール１３にのみ送り、その他の２つの制御モジュール１１、１２のどちらにも送らないようにすることができる。さらに、一実施形態においては、１つ以上の入力変数がさまざまな制御モジュールによって受け付けられるように、入力変数をこれらの制御モジュールに伝達することができる。例えば、車両を駆動するためにパワートレインが必要とする総電力量に対応付けられた駆動力変数をブースト制御モジュール１２とe-ドライブ制御モジュール（図３に特に図示せず）の両方に伝達することができる。
【００４９】
一実施形態においては、対応する機能が要求されていることを１つ以上の入力変数が示す場合に、対応する起動要求を生成するように各制御モジュール１１、１２、１３を構成することができる。例えば、このような起動要求を連続的または半連続的に探索し、このような要求の発見後に探索を継続するように、制御装置１（特に、そのミューテックススケジューラ）を構成することができる。
【００５０】
さらに、一実施形態においては、対応する機能が要求されていることを１つ以上の入力変数が示す場合、対応する起動要求を生成するように各制御モジュール１１、１２、１３を構成することができる。この場合、起動要求が発生するたびに制御装置１（すなわち、ミューテックススケジューラ２）が起動され、その他の制御モジュールの起動要求の有無に基づき、および制御モジュールの優先順位に基づき、要求された機能の起動を許可するか否かを判定するように、制御装置１（すなわち、ミューテックススケジューラ２）を構成することができる。
【００５１】
本実施形態においては（図３を参照のこと）、回生モジュール１３は、下位機能にそれぞれ関係する複数のサブモジュールを含む。この場合、これらのサブモジュールには互いに異なる優先順位が付けられる一方で、これらの下位機能の並行実行が可能であることが好ましい。例えば、第１のサブモジュール１３ａは、動力を生成する電動機／発電機ＥＭＧの駆動を含む第１の回生機能を制御するように構成することができる。第２のサブモジュール１３ｂは、車両を減速させて電力を生成する専用リターダ（図示せず）の操作を含む第２の回生機能を制御することができる。第３のサブモジュール１３ｃは、機械式（例えば油圧式または空気式）ブレーキシステムからもたらされる回生機能を実行するように構成することができる。これらのサブモジュール１３ａ、１３ｂ、１３ｃに互いに異なる優先順位を付ける必要はなく、サブモジュール１３ａ、１３ｂ、１３ｃの機能の共用（同時）実行がこれらのサブモジュールから要求された場合は、サブモジュール１３ａ、１３ｂ、１３ｃの機能の共用（同時）実行を許可するスケジューラを回生モジュールに設けることができる。より好適な一実施形態においては、サブモジュール１３ａ、１３ｂ、１３ｃに互いに異なる優先順位を付けるが、例えば動力要求および使用可能動力によっては、サブモジュール１３ａ、１３ｂ、１３ｃを同時に動作させることもできる。その場合、例えば、最も高い優先順位を有するサブモジュール１３ａに全ての使用可能動力が許容され、残りのサブモジュール１３ｂ、１３ｃは一切の動力を得られない。他方、その場合、より高い優先順位を有するサブモジュール１３ａが全ての使用可能動力を使い果たさなかった場合は、より低い優先順位を有するサブモジュール１３ｂに残りの動力部分などが供給される。さらに、図３に示すように、サブモジュール１３ａからのエネルギーを一時的に保存するエネルギーバッファ７５を設けることができる。
【００５２】
例えば、インタフェース２０は、電気以外のエネルギー形態のエネルギーバッファごとの追加のスケジューラと共に、車両のさらに別の機能を提示することができる。各スケジューラおよび関連機能からのさまざまな動力要求をインタフェース層２０で組み合せることによって、コンポーネント制御信号を求めることができる。
【００５３】
さらに別の実施形態においては、制御装置１は、車両上で利用可能な熱エネルギーバッファをさらに評価および制御するように構成される。例えば、車両は、各種熱源、例えばエンジン（Ｅｎｇｉｎｅ  ＨＥＸ３１）および１つ以上の電熱器（例えば、運転室を加熱するためのヒータまたはＰＴＣサーミスタ発熱体３２、排気触媒システムの一部を加熱するためのヒータ４４）、を含むことができる。また、車両はさまざまな方法で熱を損失しうる。例えば、排気によって、車両本体からの熱放射および対流３３によって、排気触媒システムによる対流損失４３によって、触媒化学反応による熱損失４２によって、および／または別の方法で、熱エネルギー４１を損失しうる。
【００５４】
好都合な一実施形態においては、さらにエネルギーバジェットを各機能に（すなわち、制御モジュール１１、１２、１３に）割り当てるか、または対応付けるように、制御装置１を構成することができる。例えば、ある機能がそのエネルギーバジェットの少なくとも一部を使い果たした場合は、その機能の使用可能エネルギー量を変更するように、制御装置１を構成する。また、例えば、ある機能が使用したエネルギー量に応じてその機能の実行を許可または拒否するように制御装置１を構成することができる。例えば、さまざまな機能のエネルギーバジェットを制御装置１のメモリ部ＤＭに格納することができる。さらに別の実施形態においては、各電気エネルギーバジェットを履歴から（例えば、現在の走行期間より前の複数の走行期間から）、および／または将来の予測値を用いて、計算または推定するように、制御装置１を構成する。さらに別の実施形態においては、電力バジェットをさまざまな機能（または制御モジュール１１、１２、１３）に割り当てるように制御装置１を構成する。動作中、ある機能（または制御モジュール１１、１２、１３）がそのバジェット値またはエネルギー分量を使い果たしたときは、その機能をスコープから除去する、例えば実行リストから順番待ちリストに移動する、ように制御装置１を構成できることが好ましい。
【００５５】
例えば、ある制御モジュール１１、１２、１３がそのエネルギーバジェットを使い果たした場合は、制御装置１はその制御モジュール１１、１２、１３の機能の実行を拒否することができる。また、このような場合は、例えば、その制御モジュール１１、１２、１３の優先順位を制御装置１が自動的に下げることができるか、あるいはその機能が単に実行されなくなる。当業者であれば理解されるように、このプロセスは多くの方法で、細かく、または粗く、行いうる。また、ここで、電力の割り当て自体を機能のバジェット自体に依存させることもできる（バジェットは機能の一部である必要はなく、機能をバジェットに関係付けることができる）。例えば、モジュール１１、１２、１３への使用可能電力の割り当てを使用済みバジェット量に、例えば線形に（すなわち、モジュール１１、１２、１３が使用するバジェットの半分は、そのモジュール１１、１２、１３に割り当てられる電力の半分を意味する）または非線形に、比例させることができる。
【００５６】
したがって、最適な燃費を維持するために、機能あたりのエネルギーバジェットという概念を設けることによって、電力ソース機能と電力シンク機能の間を均衡させることができる。例えば、e-ドライブ機能（モジュール）は、燃費の利点をエネルギー使用量の限界値まで提供し、その後、燃費は著しく下がる。本実施形態では、技術者はこの種の極めて複雑なシステムに対応しやすい。図４は、エンジンの燃料消費量（１／１００ｋｍ）を電気駆動の限界（ｋＷ）の関数として示すグラフの一例を示す。電気駆動限界は、車両をe-ドライブ状態にするために使用可能な電力バジェットである。最適な電気駆動限界は、破線Ｌｏｐｔで示されている。この場合、燃料消費量は最小であり、エネルギーをe-ドライブ機能に提供するために、回生機能に加え、充電機能を（それぞれの優先順位に基づき互いに排他的に）用いることができる。また、第２の、より低い、電気駆動限界状態Ｌｒｅｇが示されている。ここでは、燃料消費量は最適な電気駆動限界より著しく高く、この場合は、例えば回生機能のみを使用可能である。言い換えると、Ｒｅｇｅｎのみが使用される走行条件がＬｒｅｇになりうる。e-ドライブがバジェットによって２つの供給源にアクセスできる場合は、e-ドライブの利点を増大させることができる。
【００５７】
したがって、図４に示すように、車両の燃料消費量を向上させるために、回生機能に加え、充電機能を使用することによって、エネルギーをe-ドライブ機能に提供することができる。例えば、あらゆるハイブリッド動力機能を同様の方法で、最小経路効率を保証すると判定された最小および最大動力によって、制限することができる。
【００５８】
制御装置１には、熱の生成および損失をエネルギー効率の良い方法で制御するために、１つ以上の熱バッファ制御モジュールまたはスケジューラ３０、４０、例えば車室蓄熱器スケジューラ３０（蓄熱に関連）および触媒蓄熱器スケジューラ４０（同じく蓄熱に関連）、をさらに設けることができる。この目的のために、電力関連の制御モジュール１１、１２、１３の優先順位を変化する熱需要に基づき調整するように制御装置１を構成されることが好ましい。例えば、排気触媒システムの熱バッファが熱の供給を必要とする場合（すなわち、排気触媒システムの温度が所定の、または好適な、最小値未満に低下した場合）はエンジンを起動してバッテリＢを充電するされる機会を増やすために、主スケジューラ２と連係して充電モジュール１１の優先順位を上げるように、熱バッファスケジューラ３０、４０を構成することができる。同様に、排気触媒システムの熱バッファが熱損失を必要とする場合（すなわち、排気触媒システムの温度が所定の、または好適な、ある最大値を超えた場合）は、起動されたエンジンを停止するために、主スケジューラ２と連係してe-ドライブまたはブーストモジュールの優先順位を上げるように熱バッファスケジューラ３０、４０を構成することができる。主スケジューラ２と熱スケジューラ３０、４０の間の連係は、適切な通信手段を介した、例えば、スケジューラ間のデータ伝送を可能にするメッセージングインタフェース５０を介した、および／または別の方法での、データ通信を含むことができる。
【００５９】
図１〜３の実施形態の使用時は、制御モジュール１１、１２、１３のうちの１つ以上が、それぞれ１つ以上の入力変数に応じて、それぞれの機能の実行を要求できる。複数のモジュール１１、１２、１３がそれぞれの機能の実行を要求している場合は、機能の実行を要求している制御モジュール１１、１２、１３のうち最も高い優先順位を有する制御モジュール１１、１２、１３にその機能の実行が許可される。また、蓄電池スケジューラ２は、一度に１つの制御モジュール１１、１２、１３にのみ機能の実行を許可することが好ましい。また、インタフェース制御情報が制御モジュール１１、１２、１３から対応する車両コンポーネントＣに伝達され、動力状態情報が制御モジュール１１、１２、１３に、この情報をそれぞれの制御モジュール１１、１２、１３によって受け取られる特定の入力変数に翻訳するインタフェース構造２０を介して、伝達される。
【００６０】
上記のように、使用中、一実施形態において、制御モジュール１１、１２、１３は、それぞれの機能が要求されていることをそれぞれ１つ以上の入力変数が示す場合、その他の制御モジュールの状態とは関係なしに、それぞれの起動要求を生成することができる。さらに、一実施形態においては、制御モジュール１１、１２、１３の起動要求によって主スケジューラ２を始動させることができる。始動されたスケジューラ２は、その他の制御モジュールからの起動要求の有無に基づき、およびこれらの制御モジュールのさまざまな優先順位に基づき、要求された機能の起動を許可するか否かを判定することができる。ここで、本方法は、複数の蓄電池関連機能、特にそれぞれのサブモジュール１３ａ、１３ｂ、１３ｃに関連するさまざまな回生機能、の相互排他的スケジューリングをさらに含むことができる。これらの蓄電池関連機能のうちの少なくとも１つは複数の下位機能を含み、本方法はこれらの下位機能のパラレルスケジューリングを含むことが好ましい。
【００６１】
１つの制御モジュール１１、１２、１３が起動された場合、この制御モジュールはその機能を実行するためにそのコンポーネントを制御する。また、モジュール１１、１２、１３は、自動的に非アクティブ状態に戻るように構成することができる。例えばモジュール１１、１２、１３の機能が不要になった場合は、例えば特定の車両コンポーネント（群）からインタフェース構造２０を介して受信した情報に基づき、モジュール１１、１２、１３が自動的に非アクティブ状態に戻るように構成することができる。
【００６２】
したがって、使用中、制御装置１はさまざまな電力を、機能（すなわち、対応する制御モジュール１１、１２、１３）が依存する状態変数によってのみ規定される別個の実体として扱う。すなわち、機能「e-ドライブ」は変数「駆動力」によって駆動され、機能「充電」は変数「充電状態」によって制御される。各機能（すなわち、対応する制御モジュール１１、１２、１３）には優先順位が与えられている。各機能（すなわち、制御モジュール１１、１２、１３）は（スケジューラ２によって指示されると）その入力変数をチェックし、機能の実行を要求している機能（制御モジュール１１、１２、１３）のうち最も高い優先順位を有する機能が実行される。例えば、e-ドライブ制御モジュールがアクティブであり、充電状態（ＳＯＣ）がハイであり、かつe-ドライブ制御モジュールの優先順位が充電制御モジュール１１より低い場合は、ＳＯＣが特定の限界値未満に下がるまで機能「充電」は実行されない。それまでは、e-ドライブ制御モジュールが制御を占有する。ＳＯＣが特定の臨界値未満に下がると、より高い優先順位を有する充電制御モジュール１１が制御を要求し、「e-ドライブ」に割り込み、これによってシステムの制御権を取得する。このように、仮想機能は再利用可能であり、最大限に直交する。制御モジュール１１、１２、１３の優先順位は必ずしも静的ではなく、リアルタイムで変更することもでき、例えば他のソフトウェア要素（熱バッファ関連の制御要素など）によって変更することもできる。
【００６３】
例えば、上記のように、使用中、本方法は、車両上で利用可能な熱エネルギーバッファの評価を含むことが好ましい。この場合、制御モジュール１１、１２、１３の優先順位はそれぞれの熱バッファに関連する熱需要に少なくとも部分的に依存させる。
【００６４】
使用中、例えば、制御装置１の主スケジューリング部２、１１、１２、１３は、制御ツリーの１つの分岐（図３を参照のこと）を表すことができるエネルギーバッファ「バッテリ」を表す／に関連させることができる。上記のように、さまざまなエネルギーバッファ、例えば排気後処理システムの熱バッファ、をハイブリッド車両上で利用できる。上で説明したように、さまざまなバッファが互いに（例えばモデル／マッピング機能を介して）連係するように制御装置１を構成することが好ましい。一実施形態においては、上記の制御システムをエネルギーおよび動力中心にすることができるので、エネルギーまたは動力を扱う何れの車両システムでもこのような制御装置１によって制御し、さまざまなシステム間の連係を可能にすることもできる。例えば、制御装置１によって（対応する制御モジュールを介して）提供される仮想機能「e-ドライブ」は、エネルギー源（排気ガス）を排気触媒ブリックから除去することができる。このような方法で、優先順位の変更（適応型優先順位付け）によって、またはより高い優先順位を有する機能を始動させることによって、排気低減および酸化能力を維持する機能を促進することもできる。
【００６５】
本システムおよび方法においては、特に制御モジュール１１、１２、１３（またはそれぞれの機能）自体に優先順位が付けられ、制御モジュール間または機能間の遷移には優先順位は付けられない。したがって、極めて直交的な、モジュール式システムおよび方法が提供され、自律的に動作する制御モジュール１１、１２、１３同士が重なり合わず、それぞれの仮想機能同士が仮想状態空間内で重なり合うこともない。
【００６６】
上の例は、動力分配用のミューテックススケジューラ２を含む制御装置１に基づく。すなわち、何れの時点においても、機能ツリー内の１つの仮想機能のみが制御権を取得しうる。利用可能な別の種類の動力分配（スケジューリングアルゴリズム）は、共用動力分配である。これが可能であるのは、機能「回生」および「油圧制動」の場合であり（図３を参照のこと）、何れの動力要求もこれら２つの機能間で共用しうる。共用とミューテックスの間の違いにもかかわらず、システムは機能的には同様である。本実施形態では、ハイブリッド車両の電力関連機能をスケジューリングするための他の１つ以上のスケジューリング方法をさらに設けることができる。
【００６７】
また、本制御装置１および対応する制御方法の利点は、ハードウェアからの独立性を提供できる点である。本実施形態においては、制御装置１のレイアウトは同じままで、さまざまなハイブリッド車両（例えば、さまざまな製品、さまざまなハイブリッド車両モデル、さまざまなハイブリッド種別）に対応でき、インタフェースシステムの変更のみで、制御装置１はさまざまな車両を制御できるようになる。
【００６８】
例えば、一実施形態においては、制御装置の仮想機能レベルからの出力は（図３に図示のように）「動力」である。これらの抽象的な信号を車両の物理的ハードウェアにマッピングすることができる。「ブースト」および「充電」などの抽象的概念を用いることによって、多種多様な車両を本実施形態によって提供される１つの高水準制御システムによって制御しうる。これらの出力をハードウェアインタフェース層（ＨＩＬ）２０によって特定のハードウェア構成にマッピングすることができる。この層２０は、高水準信号をコンポーネント固有の信号に翻訳する。例えば、ハイブリッド車両の種類ごとに専用のデータ翻訳インタフェース（ハードウェアインタフェース層；ＨＩＬ）２０を設けることによって、制御装置１をその車両と連係させることができる。ＨＩＬ２０は、特に、標準化されたインタフェースをハードウェアに提示する。
【００６９】
さらに、制御装置１のレイアウトはモジュール式設計であるので、制御装置への電力関連機能の追加または除去を簡単な方法で行うことができるため、異なる（多い、または少ない）電力関連機能を有する車両との動作に対応できる。
【００７０】
例えば、上記および図２〜３のように、エネルギー経路をインタフェース２０を介して提示するように、本実施形態のハイブリッド車両制御を構成することができる。例えば、車両からの充電要求はインタフェース２０によって受け取られる。この要求は、車両の運動エネルギーの要求（増加または低減）およびバッテリ充電の要求（増加または低減）を含むことができる。これらの要求を経路にマッピングすることによって、エンジン−車両（駆動要求）、およびエンジン−電気機械−バッテリ（充電要求）の経路に沿って動力要求を伝搬し戻すように、本システムを構成することができる。この経路に沿って、コンポーネントの動力要求を判定し、必要であれば、コンポーネントの限界値に加算および削減する。次に、これらの動力要求は、パワートレインの特定のコンポーネントまで送られる。上記のように、これらの経路は、優先順位の割り込み、およびカスケードからの自己制限型動力制限を伴う、共用または相互排他的セマフォを有しうる。
【００７１】
本実施形態は、燃料効率を、例えばエネルギーバジェットの均衡化によって、提供することができる。制御装置は、特に、アーキテクチャから独立している。インタフェース層２０によって制御装置１の標準化を提供できるので、制御装置１によって制御される車両ハードウェアを変更する必要がない。制御装置１がモジュール式構造であるため、機能を制御装置の有効処理能力および車両の仕様に簡単に適合化させることができる。また、さまざまな仮想機能の優先順位の局所性により、制御装置の実施形態の較正をより正確に、かつ簡単な方法で、行うことができる。さらに、標準構造をモジュール式設計に用いることによって、製造コードを生成する手間を減らすことができる。
【００７２】
図５の実施形態では、図１の実施形態と異なり、車両（または車両システム）に少なくとも１つの冷蔵ユニットＲがさらに設けられる。このユニットは電気的に作動可能であり、システムの少なくとも１つの貯蔵室、例えば、輸送用貯蔵コンテナ、トレーラのトレーラ室、または別の冷却対象空間、を冷却するように構成される。一例として、車両は、トレーラを輸送するためのトラックを含む。特に、貯蔵室は、運転室と異なり、比較的低い温度、例えば１０℃未満の温度、に冷却できる。一例として、冷蔵ユニットＲは、その動作中に、パワートレインによって生成された少なくとも１０ｋＷのエネルギーを消費するように構成することができる。さらに別の実施形態においては、冷蔵ユニットＲの能力は、例えば貯蔵室の中身（例えば食料品）を冷凍するために、貯蔵室を０℃未満の温度に冷却できるようになっている。また、例えば、貯蔵室の中身を０℃より少し高い温度に維持する必要がある場合は、貯蔵室を０〜５℃の範囲内の温度に冷却するように冷蔵ユニットＲを構成することができる。
【００７３】
特に、一実施形態によると、冷蔵ユニットＲは、第１の最大消費電力容量（例えば少なくとも１０ｋＷ）を有することができ、ハイブリッドドライブトレーンの電動機ＥＭＧは第２の最大消費電力容量（例えば４５ｋＷ）を有することができる。このような場合、本発明では、ハイブリッドドライブトレーンの最大電力送出容量（例えばバッテリＢが送出できる最大容量）を全ての車両コンポーネントの最大消費電力容量の合計（具体的には、主に電動機ＥＭＧおよび冷蔵ユニットＲの最大消費電力容量を含む）より低くすることができる。特に、一実施形態によると、冷蔵ユニットＲの最大消費電力容量をハイブリッドパワートレインの最大電力送出容量の約２０％より大きくすることができる。また、ハイブリッド駆動電動機ＥＭＧの最大消費電力容量を最大電力送出容量の８０％より大きくすることができる。
【００７４】
冷蔵ユニットＲは、当業者には理解されるように、周知の圧縮器・蒸発器式にすることができ、冷媒流体を圧縮するための１つ以上の電動コンプレッサＣＯを含むことができる。１つ以上のコンプレッサＣＯは電気エネルギーのみを動力源にすることが好ましい。また、冷蔵ユニットＲは、他のコンポーネントを含むことができ、例えば、冷媒の熱を環境に逃がす熱交換器と熱交換器に沿って空気を吹きかけるファンＦとを含むことができる。１つ以上のコンプレッサＣＯおよび随意使用の１つ以上のファンＦを駆動するために、１つ以上の電動機ＥＭを設けることができる。これらの電動機ＥＭの各々を直流（ＤＣ）駆動式電動機にすることができるが、ただし、各冷蔵ユニットの電動機は交流（ＡＣ）駆動式であると都合がよい。後者の場合、冷蔵ユニットＲは、冷蔵ユニットＲの少なくとも１つの電動機ＥＭを駆動するために、直流を交流に変換するように構成されたインバータＩＮＶを１つ以上備えることが好ましい。例えば、図５の実施形態において、車両システムは、それぞれ別の電動機・インバータ組み立て体によって駆動されるファンとコンプレッサＣＯとを有する冷蔵ユニットＲを備える。
【００７５】
また、図５の実施形態は、電気エネルギーを生成するように構成された、車両システムを駆動するためのハイブリッドパワートレインＥ、ＥＭＧ、Ｂを備える。パワートレイン自体は、図１〜４に関して上で説明した実施形態と同じ構成にすることができる。
【００７６】
図５のように、冷蔵ユニットＲは、ハイブリッドパワートレインによって生成された電気エネルギーのみを動力源にできると都合がよい。本実施形態においては、この目的のために、冷蔵システムＲの電動機／インバータＥＭ／ＩＮＶ組み立て体が直流をバッテリＢから受電できる（矢印Ｚ１で示す）ように、および／または電動機／発電機ＥＭＧの電力回生装置から受電できる（矢印Ｚ２で示す）ように、冷蔵ユニットＲの電力入力がパワートレインの電力出力に結合されている。さらに、ハイブリッドパワートレインの他のコンポーネント、例えば、随意使用の制動力回生装置、から供給される電力を冷蔵ユニットＲの動力源として使用することができる。冷蔵ユニットＲは、ハイブリッドパワートレインの電力出力にさまざまな方法で結合でき、例えば、適切な電気配線または電力バスを介して、あるいは分離可能な方法で、あるいは当業者であれば理解されるような別の方法で、結合することができる。
【００７７】
好適な一実施形態においては、ハイブリッドパワートレインによって生成された電気エネルギーの可用性に応じて少なくとも１つの冷蔵ユニットＲを制御するように構成された制御装置１がさらに設けられる。例えば、ハイブリッドパワートレインも制御するように、例えば動作中に電力を分配またはスケジューリングするように、制御装置１を構成することができる。さらに別の実施形態においては、複数の電力生成および消費機能をほぼ直交させて実施するために複数のコンポーネント（Ｃ）を制御するように構成された複数の制御モジュール（１１、１２、１３）を備える上記のハイブリッドシステム制御装置１は、冷蔵ユニットＲの動作を制御するように、あるいは冷蔵ユニットＲへの一定量の電力の供給を少なくとも許可またはスケジューリングするように構成することもできる。例えば、一実施形態によると、図２〜３に模式的に示されている制御装置は、少なくとも１つの冷蔵ユニットＲの動作をスケジューリングするように構成することもできる。この場合、パワートレイン制御装置および冷蔵制御装置によって電力を調整することができる。これらの制御装置は、当業者であれば理解されるように、同じ物理的制御装置に実装されなくてもよい。
【００７８】
本制御システムにおいては、冷蔵ユニットＲへの電力の割り当てを制御する１つ以上の追加機能／モジュール１６２、１６５を、ハイブリッド制御ツリーに隣接させて、追加することができる。追加の冷蔵装置制御モジュール１６２、１６５にそれぞれ優先順位を割り当てることができ、場合によってはトレーラを表す熱バッファに接続することができる。例えば、緊急条件下（例えば、積荷が腐食しうる条件下）においてこの冷蔵システムＲに優先権が与えられるように、相対的に高い優先順位を有する緊急冷蔵機能１６２を追加することもできる。この一例を図６の実施形態に関して説明する。
【００７９】
図６の実施形態の基本的レイアウトは、図３の実施形態と同じである。例えば、制御装置１０１は、複数の制御モジュールのうちの１つの機能を相互排他的に実行させることができるミューテックススケジューラ１０２を含むことができる。一例として、これらの制御モジュールとして、最も高い優先順位を有する回生モジュール１１３、回生モジュール１１３より低い優先順位を有する充電モジュール１１１、充電モジュールより低い優先順位を有するブーストモジュール１１２、充電モジュールより低い優先順位を有するe-ドライブモジュール１１３４、および、例えば、最も低い優先順位を有する車両スタンバイモード用のスタンバイモジュール１１５を含むことができる。
【００８０】
また、例えば、制御装置１０１の階層に、さまざまな機能１６１、１６２、１０２、１６４、１６５を並列にスケジューリングするように構成された、ミューテックススケジューラ１０２の上に位置するパラレルスケジューラ１０１Ａを含めることができる。これらの機能として、車両の一次安全条件のチェック／検証、および／またはシステム障害の検出を行う一次安全機能１６１と、ミューテックススケジューリング機能／モジュール１０２と、車両の各種二次的電装品、例えば照明、への電力供給用の二次電力モジュール１６２とを含むことができる。この場合、安全機能１６１は最も高い優先順位を有し、二次電力モジュール１６２はパワートレインのミューテックススケジューラ１０２より低い優先順位を有する。パラレルスケジューラ１０１Ａは、使用可能なエネルギーによっては、複数の「下位」モジュール１６１、１６２、１０２、１６４、１６５のうちのいくつかを同時に実行させることができる。この場合、使用可能電力の分配は、最も高い優先順位を有するモジュール１６１から優先順位が最も低いモジュール１６５に向けて行われる。この場合、あるモジュールが受電できるのは、それより高い優先順位を有する全てのモジュールにそれぞれの要求電力が全て分配された場合に限られる（例えば、二次電力モジュール１６２に電力が許容されるのは、一次安全モジュール１６１とミューテックススケジューラ１０２とにそれぞれの電力バジェットがパラレルスケジューラ１０１Ａによって許容された後に限られる）。
【００８１】
図６の実施形態では、図３の実施形態と異なり、動作中に冷蔵ユニットＲの起動を許可するか否か、あるいはその程度、が冷蔵装置の優先順位によって決まるように、各冷蔵ユニットＲに少なくとも１つの冷蔵装置優先順位を対応付けるように制御装置１０１が構成される。例えば、通常冷蔵条件に関連する第１の冷蔵モジュール（機能）１６５に通常冷蔵優先順位を対応付け、通常冷蔵優先順位より高いハイブリッドパワートレイン優先順位をハイブリッドパワートレインのミューテックススケジューラ１０２に対応付けるように制御装置１を構成することができる。さらに、緊急冷蔵条件に関連する第２の冷蔵モジュール（機能）１６２にハイブリッドパワートレイン優先順位１０２より高い緊急冷蔵優先順位を対応付けるように制御装置１０１を構成することができる。図６のように、第１の冷蔵モジュール１６５および緊急冷蔵モジュール１６のスケジューリングもパラレルスケジューラ１０１Ａによって行われる。ここで、第１の冷蔵モジュール１６５の優先順位は、例えば最も低く（二次電力機能より低く）、緊急冷蔵モジュール１６２の優先順位は、安全モジュール１６１とパワートレインミューテックススケジューラ１０２の間である。
【００８２】
したがって、車両のパワートレインの制御と（例えばトレーラの）冷蔵の制御との組み合わせが提供される。
【００８３】
本実施形態の動作中、冷蔵が不要な条件下においては（冷蔵システムＲはスコープを要求しないので）、図１〜４の実施形態に関して上で説明したようにハイブリッド制御１０１を実行することができる。
【００８４】
一実施形態において、第１の「通常」冷蔵機能１６５がスコープに入ると、すなわち冷却対象室内の条件が冷却を必要とすると、例えば貯蔵室内の温度が上限に達したことをセンサが検出すると、ハイブリッド機能が一切使用されていない場合は、冷蔵機能１６５へのエネルギーの割り当てを、その要求および可用性に応じて、行うことができる。これにより、一般に、電気システム（すなわち、安全機能１６１および二次電力機能１６４を含むシステム）はこれらの条件下において通常軽負荷であるので、通常冷蔵機機能１６５の完全実施が可能になる。
【００８５】
通常冷蔵機能１６５がスコープ内に入ったときに、電力消費ハイブリッド機能１１２、１１４（例えばブーストまたはe-ドライブ）のうちの１つが既に動作中であり、バッテリＢから電力を引き出している場合もある。これらのハイブリッド機能（すなわち、それぞれのミューテックススケジューラ１０２）の優先順位は通常冷蔵機能１６５より高いので、これらのハイブリッド機能は、該当するエネルギー経路上のコンポーネント限界によって制限される使用可能電力を優先的に受電する。通常冷蔵機能１６５は残りの使用可能バッテリ電力を使用できるが、ハイブリッド機能の動作により、この電力量は一般には、特に冷却フェーズ中においては、最早十分ではない。この条件下において通常冷蔵機能１６５が残りの電力量をコンポーネント限界内でできる限り多く利用できるように、制御システム１０１を構成する。通常冷蔵機能１６５が既に動作中のときに電力消費ハイブリッド機能１１２、１１４（例えばブーストまたはe-ドライブ）のうちの１つがスコープに入った場合も、同様の電力スケジューリングを適用することができる。
【００８６】
さらに、例えば、電力を生成するために電力生成ハイブリッド機能のうちの１つ（例えば充電または回生機能）が既に動作中のときに通常冷蔵機能１６５がスコープに入る場合もありうる。このような場合は、例えば、生成（回生）された電力の一部をバッテリＢの充電に使用可能にし、生成（回生）された電力の一部を冷蔵システムＲに使用可能にすることができる。通常冷蔵機能１６５が既に動作中のときに電力生成機能のうちの１つがスコープに入った場合も同様の電力スケジューリングを適用することができる。
【００８７】
何れの場合においても、通常冷蔵機能１６５への電力供給をその電気エネルギーバジェットによって制約することもできる（上記も参照のこと）。
【００８８】
図６の実施形態の動作中、使用可能電力が冷蔵対象の貯蔵室内における所望の温度レベルの維持に不十分であると分かった場合は、ハイブリッド機能（すなわちミューテックススケジューラ１０２）より高い優先順位を有する緊急冷蔵機能１６２を自動的に有効にすることができる。この場合は、電力を最初に冷蔵機能に送ることによって、この機能の信頼性を保証する。ハイブリッド機能は、残りの電力を使用できる。したがって、ハイブリッド機能は部分的に維持される。さらに別の実施形態においては、制御をより精細化するため、冷蔵機能とハイブリッド機能とに、例えばそれぞれの電力要求の比率に応じて、電力の比例割り当てを行う比例パラレルスケジューラを用いることもできる。
【００８９】
さらに別の実施形態によると、電気エネルギーバジェットによって通常冷蔵機能１６５が抑制されるように、制御装置１０１の構成をエネルギーに基づき行うことができる（上記も参照のこと）。このバジェットは、例えば、充電および回生機能（１１１、１１３）からの最適なエネルギー可用性に基づき、または別の方法で、規定することができる。このように構成すると、通常冷蔵機能１６５のバジェットが使い果たされたときに、通常冷蔵機能１６５に割り込みがかかる。これにより、実際の走行条件下で車両全体の燃費を最適に維持することができる。例えば、冷蔵対象室の中身（例えばトレーラの積荷）が腐る恐れがある場合は、エネルギーバジェットによって制限されない緊急冷蔵機能１６２が制御装置１０１によって起動される。これにより、車両の燃料効率は下がるが、積荷の腐敗による収益損失は避けられる。
【００９０】
また、一実施形態によると、冷蔵温度と、積荷と、燃料効率との間の妥協点を均衡させるために、さらなる冷蔵機能を中間の優先順位レベルに挿入することもできる。
【００９１】
特定の用途においてドライバビリティのために上記の妥協点が受け入れられない場合は、所望の妥協点を得るために、ハイブリッド機能の分岐内のさまざまな個所に冷蔵機能を挿入することもできる。一例を図７に示す。
【００９２】
図７の実施形態では、図６の実施形態と異なり、ミューテックススケジューラ１０２は第２の通常冷蔵機能１１４ａとe-ドライブ機能１１４ｂとを並列にスケジューリングするように構成された第２のパラレルスケジューラ１１４’を含む。したがって、この第２のパラレルスケジューラ１１４’とその一連の機能１１４ａ、１１４ｂとが図６の実施形態のe-ドライブモジュール１１４に取って代わる。特に、本実施形態においては、第２の通常冷蔵モジュール１１４ａは、e-ドライブモジュール１１４ｂより優先される。したがって、第２のパラレルスケジューラ１１４’がe-ドライブを許可するのは、例えば、極めて低い車両速度時に、通常冷蔵機機能１１４ａがその目的のためのエネルギーを十分に残している場合、および／または第２の通常冷蔵機機能１１４ａが（多くの）電力を必要としない場合（すなわち、貯蔵室が冷却を必要としない場合）、に限られる。
【００９３】
さらに別の実施形態によると、通常冷蔵機能がパワートレインの特定の状態（トルク、速度、回生制動）にも対応でき、ハイブリッドシステムの効率が比較的高い状況下でのみ起動されるように、制御装置を構成することができる。この目的のために、例えば、システムの効率を検出または判定するように制御装置１を構成することができる。
【００９４】
また、一実施形態によると、さまざまな機能の優先順位が静的である必要はなく、動的な優先順位（例えば、ある機能の開始遅延、または優先順位の衝突）も可能である。
【００９５】
さらに別の実施形態においては、動作中にパワートレインの平均消費電力を上回る電力を必要とする将来の走行条件を推定または判定するように制御装置１０１を構成することができる。この場合、このような走行条件に遭遇する前に貯蔵室の追加冷却をもたらすために冷蔵ユニットＲを起動するように制御装置１０１を構成する。
【００９６】
例えば、車両制御システムが利用できる特定の情報に基づき、特に走行条件に関する適応／予測情報に基づき、冷却対象の貯蔵室の予測冷却を行うことが可能である。これは、例えば、車両が上り坂を長時間走行するとき、走行のために電力を長時間必要とするときに、貯蔵室内の温度が限界を超えないことを保証するために行いうる。制御システム１０１は、次に「予冷」機能を実行する。非限定的な例として、制御システム１０１は、将来の走行条件を予測するために、全地球測位システム（ＧＰＳ）データを利用できる。
【００９７】
さらに他の複数の実施形態においては、ハイブリッド制御システムを冷蔵機能と同じ制御装置に実装する必要はなく、ハイブリッド機能を明示的に、またはその全体を、優先順位ツリーに実装する必要はない。図８は、アドオンシステムを模式的に示す。このシステムにおいては、既存のハイブリッド制御装置は（例えば、図３に示す制御装置のレイアウトとは異なるレイアウトを有し）、優先順位スケジューリング機能を提供する優先順位スケジューラ２０２と冷蔵機能制御モジュール２６５とを備える追加の制御装置２０１と情報を交換しうる。この場合、追加の制御装置２０１の優先順位スケジューラ２０２を既存のハイブリッド制御装置ＨＣのマスターにし、冷蔵機能２６５より上位のマスターにすることができる。追加の制御装置２０１の優先順位スケジューラ２０２は、適切な通信線または通信網２８０を介して、制御情報をハイブリッド制御装置に送り、ハイブリッド状態情報をハイブリッド制御装置から受け取ることができる。また、優先順位スケジューラ２０２と１つ以上の冷蔵制御モジュール２６５との間では内部通信２８１も利用可能である。
【００９８】
本発明は車両システムを提供し、冷蔵システムに電力を供給するための（高コストおよび重量の増加をもたらす）追加の発電機または発電機セットの使用を単純かつ効率的に省くことができる。本発明の基本的な考え方は、電力を（追加の燃焼機関を含む追加の発電機を使用せずに）冷蔵システムＲに供給するためにハイブリッドパワートレイン電気システムを使用することである。また、この方法により、特に冷蔵システムＲをパワートレインの電力およびエネルギー管理に統合することによって、システム全体の最適化を達成でき、高エネルギー効率をもたらすことができる。特に、冷蔵ユニットは、電気的にのみ動力が供給され（すなわち、電力によってのみ動作／機能し）、例えば、１つ以上の電気モータＥＭ以外の駆動手段を含まない。例えば、冷蔵ユニットの１つ以上のコンプレッサＣＯ（すなわち、対応する電動機ＥＭ）は、パワートレインの少なくとも１つの電荷蓄積部Ｂ、パワートレインの少なくとも１つの電動機／発電機ＥＭＧ、およびパワートレインの少なくとも１つの電気回生装置のうちの１つ以上からのみ受電できる（他の動力源からは受け付けない）。
【００９９】
さらに、従来型車両システムにおいては、パワートレインおよび従来型冷蔵システムは、個々のニーズに基づき寸法設計されるため、コンポーネント寸法が大きくなる。本発明の実施態様に従うと、個々のシステムの電力要求を「インターリーブ」させうるので、複数の制御システムを結合または統合でき、コンポーネントを共用化できるので、全出力を各システムに個別に供給するように各コンポーネントを寸法設計する必要がない。
【０１００】
例えば、従来型システムにおいては、ハイブリッドパワートレインは最大電力量を出力でき（例えば、最大４５ｋＷを送出できるバッテリＢを有する）、パワートレインの電動機ＥＭＧは第１の最大電力量（例えば４５ｋＷ）を使用でき、独立の従来型冷蔵システムは動作中に相対的に高い第２の電力量（例えば１０ｋＷ）を必要とするため、結果として第２の電力量を独立の発電機（例えばディーゼル発電機）によって供給する必要がある。
【０１０１】
本発明の複数の実施形態に従うと（図５〜８を参照）、ハイブリッドパワートレインは特定の最大電力量（例えば４５ｋＷ）を依然として供給でき、パワートレインの電動機ＥＭＧは特定の最大電力量（例えば４５ｋＷ）を使用でき、従来型冷蔵システムは動作中に大量の電力（例えば少なくとも１０ｋＷ）を依然として必要としうる。このような場合は、特に、システムのさまざまな機能に（制御装置によって）実際に許容または割り当てられる電力量が使用可能な最大電力量を決して超えないように、上で説明したように、使用可能電力をパワートレインの電動機ＥＭＧと冷蔵システムＲとの間でそれぞれのニーズに応じてエネルギー効率の良い方法で、例えばそれぞれの優先順位によって、および／またはエネルギーバジェットに基づき、分配するように制御装置１、１０１を構成する。例えば、本発明は、冷却室に所望される冷却を行うために十分なエネルギーを供給するための追加の発電容量を追加することなく、既存のハイブリッド車両に実装することができる。
【０１０２】
本発明の例示的実施形態を添付図面を参照しながら詳細に説明してきたが、本発明はこれらの実施形態に限定されないことを理解されたい。当業者は、特許請求の範囲に定義されている本発明の精神および範囲から逸脱することなく、さまざまな変更または修正を行いうる。
【０１０３】
本願において、用語「備える／含む（ｃｏｍｐｒｉｓｉｎｇ）」は他の要素またはステップを排除するものではないことを理解されたい。さらに、用語「１つの（ａおよびａｎ）」は複数を排除するものではない。請求項における１つまたは複数の参照符号は何れも、特許請求の範囲を限定するものとは解釈されないものとする。さらに、単一の制御装置、プロセッサ、または他のユニットは、特許請求の範囲に列挙されているいくつかの手段の機能を満たしうる。
【図１】
2010513137.tif 000003
【図２】
2010513137.tif 000004
【図３】
2010513137.tif 000005
【図４】
2010513137.tif 000006
【図５】
2010513137.tif 000007
【図６】
2010513137.tif 000008
【図７】
2010513137.tif 000009
【図８】
2010513137.tif 000010
【国際調査報告】
2010513137.tif 000011
2010513137.tif 000012
2010513137.tif 000013
2010513137.tif 000014
2010513137.tif 000015
2010513137.tif 000016